(57)【要約】【課題】在庫管理や作業準備を容易にし、保管スペースや運搬スペースの縮小が可能な根かせを提供する。【解決手段】板状の本体１０を有し、本体１０の片面に柱に沿わせるための谷部１１を有する。谷部１１を挟む両側に柱を固定するための貫通孔１２を有する。土砂と摩擦係合するための凹凸部１３を表面に有する。同一物が密着して重なり合うことが可能な形状を有する。凹凸部１３は側面が底部および頂部にかけて次第に狭まるよう傾斜している。【選択図】図１
0003207557.tif 000002
【実用新案登録請求の範囲】
【請求項１】
板状の本体を有し、前記本体の片面に柱に沿わせるための谷部を有し、前記谷部を挟む両側に柱を固定するための貫通孔を有し、土砂と摩擦係合するための凹凸部を表面に有し、同一物が密着して重なり合うことが可能な形状を有することを、特徴とする根かせ。
【請求項２】
前記凹凸部は側面が底部および頂部にかけて次第に狭まるよう傾斜していることを、特徴とする請求項１記載の根かせ。
【考案の詳細な説明】
【技術分野】
【０００１】
本考案は、電柱などの柱を建てる際に、固定具で柱を固定するための根かせに関する。
【背景技術】
【０００２】
従来、合成樹脂から成り、貫通孔を通した固定具で柱を固定するために使用される根かせが、本発明者により開発されている（例えば、特許文献１参照）。根かせは、電柱の高さや地盤強度などに応じて根かせ強度の高いものが選定される。
【先行技術文献】
【特許文献】
【０００３】
【特許文献１】特開２０００−５４４０３号公報
【考案の概要】
【考案が解決しようとする課題】
【０００４】
しかしながら、特許文献１の根かせは、根かせ強度に合わせて種々のサイズのものを準備しておく必要があり、保管スペースがとられるとともに在庫管理が煩瑣であるという課題があった。また、設置場所の地盤強度などの条件が事前にわからない場合には、複数種類の根かせを現場に運搬する必要があるため、作業準備に手間がかかり、運搬スペースもとられるという課題があった。
【０００５】
本考案は、このような課題に着目してなされたもので、在庫管理や作業準備を容易にし、保管スペースや運搬スペースの縮小が可能な根かせを提供することを目的とする。
【課題を解決するための手段】
【０００６】
上記目的を達成するために、本考案に係る根かせは、板状の本体を有し、前記本体の片面に柱に沿わせるための谷部を有し、前記谷部を挟む両側に柱を固定するための貫通孔を有し、土砂と摩擦係合するための凹凸部を表面に有し、同一物が密着して重なり合うことが可能な形状を有することを、特徴とする。
【０００７】
本考案に係る根かせは、谷部を電柱などの柱に沿わせ、固定具を貫通孔に通して柱に取り付けて使用される。本考案に係る根かせは、土砂と摩擦係合するための凹凸部を表面に有するため、根かせ強度が高い。また、同一物が密着して重なり合うことが可能な形状を有するので、同一物を複数重ねて使用することにより、根かせ強度をより高めることができる。重ねて使用する根かせは、同一物のため、在庫管理や作業準備を容易にし、保管スペースや運搬スペースの縮小が可能である。プラスチックで製造する場合、同一の成形型で量産することができ、効率的である。
谷部は、柱の側面形状に合わせて断面円弧状に湾曲していることが好ましい。
【０００８】
本考案に係る根かせにおいて、前記凹凸部は側面が底部および頂部にかけて次第に狭まるよう傾斜していることが好ましい。
この場合、凹凸部の傾斜した面を重ね合わせることにより、同一物を密着させて重なり合わせることができる。
【考案の効果】
【０００９】
本考案によれば、在庫管理や作業準備を容易にし、保管スペースや運搬スペースの縮小が可能な根かせを提供することができる。
【図面の簡単な説明】
【００１０】
【図１】本考案の実施の形態の根かせを示す斜視図である。
【図２】図１の根かせを複数重ねた状態を示す斜視図である。
【考案を実施するための形態】
【００１１】
以下、図面に基づき本考案の実施の形態について説明する。
図１および図２は、本考案の実施の形態を示している。
図１に示すように、本考案の実施の形態の根かせは、ほぼ長方形の板状の本体１０を有している。本体１０は、片面に、幅方向中央を横断するよう柱に沿わせるための谷部１１を有する。谷部１１は、根かせを使用する電柱などの柱の側面形状に合わせて断面円弧状に湾曲している。本体１０は、谷部１１を挟む両側の幅方向中央に柱を固定するための貫通孔１２を有する。貫通孔１２は、本体１０の長さ方向に伸びる長円形状を有している。本体１０は、表面に土砂と摩擦係合するための凹凸部１３を複数有している。
【００１２】
谷部１１側の面において、凹凸部１３は、谷部１１に幅方向に間隔をおいて２つの凹部１３ａを有し、貫通孔１２を幅方向で挟む位置にそれぞれ２つの凸部１３ｂを有し、それらの外側に幅方向に横断する２つの溝１３ｃを有し、各溝１３ｃの中央部に溝１３ｃに沿った凸部１３ｄを有し、各溝１３ｃの外側に幅方向に両縁部まで伸びる凸部１３ｅを有している。凹凸部１３は、それぞれ四角錐台の形状を有し、側面が底部および頂部にかけて次第に狭まるよう傾斜している。凹凸部１３の各底部および各頂部は、それぞれ平行面上に配置されている。根かせは、図２に示すように、同一物が密着して重なり合うことが可能な形状を有している。
【００１３】
根かせは、ポリエチレンやポリプロピレンなどのプラスチックから成ることが好ましく、同一の成形型で量産することができる。根かせは、貫通孔１２を通したワイヤ状の固定具で柱を締め付けるとき、固定具が食い込む程度の塑性および食い込んだ固定具に常に密着する程度の弾性を有することが好ましい。
【００１４】
次に、作用について説明する。
本考案の実施の形態の根かせは、谷部１１を電柱などの柱に沿わせ、ワイヤ状の固定具を柱の表面に沿わせて両端を各貫通孔１２に通し、谷部１１と反対側の面で両端をナットで締め付けることにより、柱に取り付けて使用される。根かせは、柱を両側から挟むように取り付けて使用されても、交差するように柱に取り付けて使用されてもよい。
【００１５】
根かせを柱に取り付けたならば、地中に掘った穴に入れ、土砂の中に埋める。根かせは、土砂と摩擦係合するための凹凸部１３を表面に有するため、根かせ強度が高い。特に、根かせは、凹凸部１３により曲げ荷重に対する強度および耐久性が強く、柱の沈下防止の効果が高くなっている。また、同一物が密着して重なり合うことが可能な形状を有するので、図２に示すように、同一物を複数重ねて使用することにより、根かせ強度をより高めることができる。重ねる枚数は、必要な根かせ強度に応じて調整することができる。
【００１６】
従来、根かせ強度に合わせて種々のサイズの根かせを準備しておく必要があり、保管スペースがとられるとともに在庫管理や作業準備が煩瑣であったが、本考案の実施の形態の根かせでは、同一物を必要な枚数重ねることで根かせ強度を調整できるため、根かせ強度に合わせて種々のサイズのものを準備する必要がなく、在庫管理や作業準備が容易である。また、設置場所の地盤強度などの条件が事前にわからない場合にも、運搬枚数に余裕をもたせるだけでよく、複数種類の根かせを現場に運搬する必要がない。さらに、重ねて保管、運搬できるため、保管スペースや運搬スペースを縮小することができる。
【００１７】
本考案の実施の形態の根かせは、プラスチックで製造する場合、同一の成形型で量産することができ、効率的である。本考案の実施の形態の根かせは、プラスチックでかなり軽いものとし、作業の際の取扱いを容易にすることができる。
【符号の説明】
【００１８】
１０  本体
１１  谷部
１２  貫通孔
１３  凹凸部
１３ａ  凹部
１３ｂ  凸部
１３ｃ  溝
１３ｄ  凸部
１３ｅ  凸部
【図１】
0003207557.tif 000003
【図２】
0003207557.tif 000004